(57)【要約】【課題】鼻パッドなしで安定的に装着可能であるとともに装着時に支持構造が目立たないようにする。【解決手段】眼鏡１００は、上下方向に幅広のテンプル３０Ｌ，３０Ｒと、根元がテンプル３０Ｌ，３０Ｒの内側の所定位置に固定され、そこから先端にかけてテンプル３０Ｌ，３０Ｒの内側面３３Ｌ，３３Ｒから徐々に逸れるようにテンプル３０Ｌ，３０Ｒの延在方向に沿って延びるテンプルパッド４０Ｌ，４０Ｒと、を備え、テンプルパッド４０Ｌ，４０Ｒは、根元部分４１Ｌ，４１Ｒが細く、かつ、眼鏡１００を装着した際に装着者のこめかみに接する先端部分４２Ｌ，４２Ｒが下方に緩やかに膨らむ肉厚形状に形成されており、側面視でテンプルパッド４０Ｌ，４０Ｒの全体またはほとんどがテンプル３０Ｌ，３０Ｒに隠れて見えないようになっている。【選択図】図１
2020095243.tif 000002
【特許請求の範囲】
【請求項１】
眼鏡であって、
上下方向に幅広のテンプルと、
根元が前記テンプルの内側の所定位置に固定され、そこから先端にかけて前記テンプルの内側面から徐々に逸れるように前記テンプルの延在方向に沿って延びるテンプルパッドと、を備え、
前記テンプルパッドは、根元部分が細く、かつ、前記眼鏡を装着した際に装着者のこめかみに接する先端部分が下方に緩やかに膨らむ肉厚形状に形成されており、
側面視で前記テンプルパッドの全体またはほとんどが前記テンプルに隠れて見えないようになっている
ことを特徴とする眼鏡。
【請求項２】
前記テンプルパッドが、
塑性変形可能な金属製の芯材と、
前記芯材の一端が露出するように前記芯材に被せられ、前記根元部分およびそれに続く前記先端部分が一体部材として形成された合成樹脂製のパッド本体と、を有しており、
前記芯材が、前記パッド本体から露出した一端が前記テンプルの内側の前記所定位置に固定され、そこから他端にかけて前記テンプルの内側面から徐々に逸れるように前記テンプルの延在方向に沿って延びている
ことを特徴とする請求項１に記載の眼鏡。
【請求項３】
前記テンプルが、内側面上に、前記テンプルの延在方向に開口するポケットを有しており、
前記テンプルパッドの根元部分の先端が前記ポケットに差し込まれて前記テンプルパッドが前記テンプルに固定されている
ことを特徴とする請求項１または２に記載の眼鏡。
【請求項４】
前記テンプル、前記ポケット、およびモダンが一体部材として形成されている
ことを特徴とする請求項３に記載の眼鏡。
【請求項５】
前記モダンの先端付近が最厚部の厚み７ｍｍ程度で内側に膨らんでいる
ことを特徴とする請求項４に記載の眼鏡。
【請求項６】
前記テンプルパッドは、根元が前記テンプルの後方寄りの所定位置に固定され、そこから前方に延びている
ことを特徴とする請求項１ないし５のいずれかに記載の眼鏡。
【請求項７】
前記テンプルパッドの根元部分の前記テンプルに面する側に当該根元部分における前記テンプルパッドと前記テンプルとの隙間を埋める程度に突起した凸部が形成されている
ことを特徴とする請求項６に記載の眼鏡。
【請求項８】
前記テンプルパッドが前記テンプルに着脱自在に固定されている
ことを特徴とする請求項１ないし７のいずれかに記載の眼鏡。
【発明の詳細な説明】
【技術分野】
【０００１】
本発明は、眼鏡に関し、特に鼻パッドなしで安定的に装着可能な眼鏡に関する。
【背景技術】
【０００２】
一般的に眼鏡は、左右一対のレンズが固定されたフロントと、フロントの左右両端から延びるテンプルと、テンプルの先に取り付けられたモダンとから構成される。また、眼鏡の装着時にフロントが顔面からずり落ちるのを防止するために、フロントの中央部分に鼻あてあるいは鼻パッドが設けられる。
【０００３】
このような眼鏡を長時間装着していると、鼻パッドが接触する鼻の付け根に眼鏡のフロントの荷重がかかり続けて不快感を覚えることがある。また、眼鏡を外したときに鼻の付け根に鼻パッドの痕が残ってしまうことがあり、美容上好ましくない。かかる問題に対して鼻パッドをなくした眼鏡が多く提案されている（例えば、特許文献１ないし５を参照）。
【先行技術文献】
【特許文献】
【０００４】
【特許文献１】特開２００３−１２１８００号公報
【特許文献２】特開２００１−２０１７２１号公報
【特許文献３】実用新案登録第３２１４３６５号
【特許文献４】実用新案登録第３１９８９６４号
【特許文献５】特開２０１１−９９９３９号公報
【発明の概要】
【発明が解決しようとする課題】
【０００５】
鼻パッドをなくすと鼻の付け根で眼鏡のフロントの荷重を支えられなくなるため、従来の鼻パッドなしの眼鏡はいずれもこめかみで荷重を支える構造を採用している。
【０００６】
顔面に位置する眼鏡のフロントの荷重を側頭部のこめかみで安定的に支えるには、こめかみとの接触部分の面積を大きくするなど支持構造をある程度大きくする必要がある。しかし、当該支持構造を大きくすると、眼鏡の装着時に支持構造が目立ってしまい、見た目が悪くなる。特にファッション性が求められる眼鏡では支持構造は極力目立たなくすることが望ましい。一方、見た目を優先して支持構造を細く、小さくすると、今度は装着時の安定性が損なわれてしまう。このように鼻パッドなしの眼鏡では装着安定性と見た目のよさがトレードオフの関係にある。
【０００７】
上記問題に鑑み、本発明は、鼻パッドなしで安定的に装着可能であるとともに装着時に支持構造が目立たない眼鏡を提供することを目的とする。
【課題を解決するための手段】
【０００８】
本発明の一局面に従った眼鏡は、上下方向に幅広のテンプルと、根元がテンプルの内側の所定位置に固定され、そこから先端にかけてテンプルの内側面から徐々に逸れるようにテンプルの延在方向に沿って延びるテンプルパッドと、を備え、テンプルパッドは、根元部分が細く、かつ、眼鏡を装着した際に装着者のこめかみに接する先端部分が下方に緩やかに膨らむ肉厚形状に形成されており、側面視でテンプルパッドの全体またはほとんどがテンプルに隠れて見えないようになっている。
【０００９】
テンプルパッドが、塑性変形可能な金属製の芯材と、芯材の一端が露出するように芯材に被せられ、根元部分およびそれに続く先端部分が一体部材として形成された合成樹脂製のパッド本体と、を有していてもよく、芯材が、パッド本体から露出した一端がテンプルの内側の所定位置に固定され、そこから他端にかけてテンプルの内側面から徐々に逸れるようにテンプルの延在方向に沿って延びていてもよい。
【００１０】
テンプルが、内側面上に、テンプルの延在方向に開口するポケットを有していてもよく、テンプルパッドの根元部分の先端がポケットに差し込まれてテンプルパッドがテンプルに固定されていてもよい。
【００１１】
テンプル、ポケット、およびモダンが一体部材として形成されていてもよい。さらに、モダンの先端付近が最厚部の厚み７ｍｍ程度で内側に膨らんでいてもよい。  テンプルパッドは、根元がテンプルの後方寄りの所定位置に固定され、そこから前方に延びていてもよい。さらに、テンプルパッドの根元部分のテンプルに面する側に当該根元部分におけるテンプルパッドとテンプルとの隙間を埋める程度に突起した凸部が形成されていてもよい。
【００１２】
テンプルパッドがテンプルに着脱自在に固定されていてもよい。
【発明の効果】
【００１３】
本発明によると、鼻パッドなしで安定的に装着可能であるとともに装着時に支持構造が目立たないようにすることができる。
【図面の簡単な説明】
【００１４】
【図１】本発明の一実施形態に係る眼鏡の斜視図
【図２】本発明の一実施形態に係る眼鏡の平面図
【図３】本発明の一実施形態に係る眼鏡の側面図
【図４】テンプルパッド差し込み用のポケット付近の拡大図
【図５】テンプルパッドの分解拡大図
【図６】テンプルパッドの取り付けを説明する図
【図７】テンプルパッドからパッド本体を引き抜いた状態を示す図
【図８】変形例に係るテンプルパッドの斜視図
【図９】図８のテンプルパッドをテンプルに取り付けたときの取り付け部分の拡大図
【図１０】通常のモダンと変形例に係るモダンとの比較図
【発明を実施するための形態】
【００１５】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１６】
なお、発明者は、当業者が本発明を十分に理解するために添付図面および以下の説明を提供するのであって、これらによって特許請求の範囲に記載の主題を限定することを意図するものではない。また、図面に描かれた各部材の寸法、厚み、細部の詳細形状などは実際のものとは異なることがある。
【００１７】
図１は、本発明の一実施形態に係る眼鏡の斜視図である。図２は、本発明の一実施形態に係る眼鏡の平面図である。図３は、本発明の一実施形態に係る眼鏡の側面図である。なお、本明細書では、眼鏡を装着したときの頭部の矢状方向、水平方向、および垂直方向を、それぞれ眼鏡の前後方向、左右方向、および上下方向とする。
【００１８】
≪眼鏡の概略構成≫
本実施形態に係る眼鏡１００は、左右一対のレンズ１０Ｌ，１０Ｒを固定するフロント２０と、左右一対のテンプル３０Ｌ，３０Ｒと、テンプル３０Ｌ，３０Ｒの内側の所定位置に固定された左右一対のテンプルパッド４０Ｌ，４０Ｒと、を備えている。テンプル３０Ｌ，３０Ｒは、フロント２０の左右両端に設けられたヒンジ５０Ｌ，５０Ｒのそれぞれを介してフロント２０に接続されており、フロント２０側に折りたたむことができるようになっている。
【００１９】
≪フロントの構成例≫
フロント２０は、前方にやや膨らむように緩やかに湾曲している。その湾曲度合いは眼鏡１０の用途に応じて設計すればよく、例えばファッション眼鏡では湾曲を大きくし、視力矯正用眼鏡では湾曲を小さくすることができる。また、フロント２０は、湾曲しないストレート形状であってもよい。
【００２０】
具体的に、フロント２０は、レンズ１０Ｌ，１０Ｒを固定可能な左右一対のリム２１Ｌ，２１Ｒと、リム２１Ｌ，２１Ｒを繋ぐブリッジ２２と、リム２１Ｌの左端およびリム２１Ｒの右端に設けられた左右一対のヨロイ２３Ｌ，２３Ｒとから構成される。ヒンジ５０Ｌ，５０Ｒは、それぞれ、ヨロイ２３Ｌ，２３Ｒに取り付けられている。
【００２１】
レンズ１０Ｌ，１０Ｒは、視力矯正用レンズや遮光レンズの他、いわゆる度なしレンズであってもよい。リム２１Ｌ，２１Ｒ、ブリッジ２２、ヨロイ２３Ｌ，２３Ｒは一体形成されていても、それぞれ別のパーツとして形成されてつなぎ合わされていてもよい。
【００２２】
なお、フロント２０の材質は、合成樹脂でも金属でも何でもよい。
【００２３】
≪テンプルの構成例≫
テンプル３０Ｌ，３０Ｒは細い棒状の部材ではなく上下方向に一定の幅を持つ部材で構成されている。テンプル３０Ｌ，３０Ｒの材質は、合成樹脂でも金属でも何でもよい。
【００２４】
具体的には、テンプル３０Ｌ，３０Ｒは、ヒンジ５０Ｌ，５０Ｒとの接続部分から末端部分にかけて上下方向の幅が徐々に狭くなる形状をしている。テンプル３０Ｌ，３０Ｒの最広部（ヒンジ５０Ｌ，５０Ｒとの接続部分）の幅はおよそ１５ｍｍであり、最狭部（後述するモダンとの境界部分）の幅はおよそ４ｍｍである。なお、これら寸法は一例であり、本発明はこれに限定されない。
【００２５】
テンプル３０Ｌ，３０Ｒにおいて、眼鏡１００を装着したときにこめかみから耳の上部に至る略直線部分３１Ｌ，３１Ｒは外側にわずかに膨らんだ弧を描いて前後方向に延び、耳の上部から後ろに至るモダン３２Ｌ，３２Ｒは曲率を小さくして内側に入り込むとともに下方に向けて湾曲している。略直線部分３１Ｌ，３１Ｒの横断面は略矩形であり、その内側面３３Ｌ，３３Ｒおよび外側面３４Ｌ，３４Ｒはほぼ平らである。また、テンプル３０Ｌ，３０Ｒの角は面取りされている。一方、モダン３２Ｌ，３２Ｒの末端部分は内側に緩やかに膨らんだ肉厚の立体曲面形状をしている。
【００２６】
さらに、テンプル３０Ｌ，３０Ｒは、それぞれ、内側面３３Ｌ，３３Ｒ上に、テンプル３０Ｌ，３０Ｒの延在方向に開口するポケット３５Ｌ，３５Ｒを備えている。ポケット３５Ｌ，３５Ｒにテンプルパッド４０Ｌ，４０Ｒの根元部分の先端がそれぞれ差し込まれてテンプルパッド４０Ｌ，４０Ｒがテンプル３０Ｌ，３０Ｒに固定されるようになっている。
【００２７】
図４は、テンプルパッド差し込み用のポケット３５Ｒ付近の拡大図である。テンプル３０Ｒの略直線部分３１Ｒの後端付近がテンプル３０Ｒの内側面３３Ｒから内側へ突出するように肉厚にされており、そこにポケット３５Ｒが形成されている。内側面３３Ｒから内側へ突出する肉厚部分はモダン３２Ｒへと滑らかに繋がっており、モダン３２Ｒの内側面３６Ｒが形成されている。
【００２８】
ポケット３５Ｒはその前方端面が開口しており、開口部の上下方向の長さはおよそ３ｍｍ、左右方向の長さはおよそ２ｍｍ、前後方向（テンプル３０Ｒの延在方向）の奥行きはおよそ６ｍｍである。なお、これら寸法は一例であって、本発明はこれに限定されない。
【００２９】
ポケット３５Ｒの上部においてテンプル３０Ｒの内側面３３Ｒの上端からモダン３２Ｒの内側面３６Ｒの上端にかけて滑らかに続くリブ３７Ｒが形成されている。また、ポケット３５Ｒの下部においてテンプル３０Ｒの内側面３３Ｒの下端からモダン３２Ｒの内側面３６Ｒの下端にかけて滑らかに続くリブ３８Ｒが形成されている。ポケット３５Ｒは、これら二つのリブ３７Ｒおよび３８Ｒに挟まれた空間の奥にある。これら二つのリブ３７Ｒおよび３８Ｒはテンプルパッド４０Ｒの根元部分の先端をポケット３５Ｒに差し込む際のガイドの役割を果たす。
【００３０】
モダン３２Ｒの内側面３６Ｒ上のポケット３５Ｒの開口部から後方に３ｍｍほど離れた位置に孔３９Ｒが空いている。この孔３９Ｒは、ポケット３５Ｒに差し込まれたテンプルパッド４０Ｒをネジ止めするための孔である。
【００３１】
なお、ポケット３５Ｌは上述のポケット３５Ｒと形状が鏡面対称になるだけであるため、詳細な説明を省略する。
【００３２】
≪テンプルパッドの構成例≫
図１ないし３を再び参照し、テンプルパッド４０Ｌ，４０Ｒは、それぞれ、根元がテンプル３０Ｌ，３０Ｒの内側の所定位置に固定され、そこから先端にかけてテンプル３０Ｌ，３０Ｒの内側面３３Ｌ，３３Ｒから徐々に逸れるようにテンプル３０Ｌ，３０Ｒの延在方向に沿って延びている。具体的には、テンプルパッド４０Ｌ，４０Ｒの根元は、それぞれ、テンプル３０Ｌ，３０Ｒの略直線部分３１Ｌ，３１Ｒの後端付近に設けられたポケット３５Ｌ，３５Ｒに差し込まれて固定され、そこからテンプル３０Ｌ，３０Ｒの内側面３３Ｌ，３３Ｒから徐々に逸れるように略直線部分３１Ｌ，３１Ｒに沿って前方、すなわち、フロント２０側に延びている。
【００３３】
テンプルパッド４０Ｌ，４０Ｒは、根元部分４１Ｌ，４１Ｒが細く、かつ、眼鏡１００を装着した際に装着者のこめかみに接する先端部分４２Ｌ，４２Ｒが下方に緩やかに膨らむ肉厚形状に形成されている。また、先端部分４２Ｌ，４２Ｒは、モダン３２Ｌ，３２Ｒの末端部分と同様に、内側に緩やかに膨らんだ肉厚の立体曲面形状をしている。
【００３４】
テンプル３０Ｌ，３０Ｒの内側面３３Ｌ，３３Ｒとテンプルパッド４０Ｌ，４０Ｒの先端とのギャップはおよそ７ｍｍである。また、テンプル３０Ｌ，３０Ｒを開いた状態においてテンプルパッド４０Ｌ，４０Ｒの根元部分４１Ｌ，４１Ｒ間はおよそ１３０ｍｍ、先端部分４２Ｌ，４２Ｒ間はおよそ１２０ｍｍである。なお、これら寸法は一例であって、本発明はこれらに限定されない。
【００３５】
図５は、テンプルパッド４０Ｒの分解拡大図である。テンプルパッド４０Ｒは、塑性変形可能な金属製の芯材４３Ｒと、根元部分４１Ｒおよびそれに続く先端部分４２Ｒが一体部材として形成された合成樹脂（好ましくはやや軟質の合成樹脂）製のパッド本体４４Ｒと、を備えている。芯材４３Ｒの一端は上下方向にわずかに膨らんでネジ穴４５Ｒが設けられている。パッド本体４４Ｒの根元部分４１Ｒの側面には芯材４３Ｒを差し込むための開口部があり、その開口部からパッド本体４４Ｒの全長方向に向けて芯材４３Ｒにパッド本体４４Ｒを被せることができるようになっている。芯材４３Ｒにパッド本体４４Ｒの奥まで被せた状態において、ネジ穴４５Ｒを含む芯材４３Ｒの一端が露出するようになっている。
【００３６】
芯材４３Ｒの寸法は、長さがおよそ４０ｍｍ、厚みがおよそ１ｍｍ、上下方向の幅がおよそ１ｍｍ、パッド本体４４Ｒから露出する部分の上下方向の幅がおよそ３ｍｍ、当該部分の長さがおよそ５ｍｍ、ネジ穴４５Ｒの直径がおよそ１ｍｍである。パッド本体４４Ｒの寸法は、全長がおよそ４４ｍｍ、厚みがおよそ３ｍｍ、根元部分４１Ｒの上下方向の幅がおよそ４ｍｍ、先端部分４２Ｒの上下方向の最大幅がおよそ１２ｍｍ、パッド本体４４Ｒの最先端部から上下方向が最大幅の部分までの長さはおよそ１０ｍｍである。なお、これら寸法は一例であって、本発明はこれらに限定されない。
【００３７】
図６は、テンプルパッド４０Ｒの取り付けを説明する図である。同図に示すように、（１）芯材４３Ｒにパッド本体４４Ｒを被せ、（２）ネジ穴４５Ｒが設けられた芯材４３Ｒの一端をポケット３５Ｒに差し込み、（３）孔３９Ｒにネジ４６Ｒを通してネジ止めすることで、テンプルパッド４０Ｒをテンプル３０Ｒの内側の所定位置に固定することができる。
【００３８】
ネジ４６Ｒの長さはおよそ３ｍｍであり、直径はおよそ１ｍｍである。なお、これら寸法は一例であって、本発明はこれに限定されない。
【００３９】
テンプルパッド４０Ｒを交換する場合、ネジ４６Ｒを外してポケット３５Ｒからテンプルパッド４０Ｒを引き抜いて新たなテンプルパッド４０Ｒと交換すればよい。あるいは、ポケット３５Ｒに芯材４３Ｒをネジ止めしたままでパッド本体４４Ｒのみを交換することもできる。
【００４０】
図７は、テンプルパッド４０Ｒからパッド本体４４Ｒを引き抜いた状態を示す図である。テンプルパッド４０Ｒからパッド本体４４Ｒを引き抜くと芯材４３Ｒが現れる。芯材４３Ｒは、ネジ穴４５Ｒが設けられた一端から他端にかけてテンプル３０Ｒの内側面３３Ｒから徐々に逸れるようにテンプル３０Ｒの延在方向に沿って延びている。同図に示したように芯材４３Ｒを露出させた状態で新たなパッド本体４４Ｒを芯材４３Ｒに被せればよい。
【００４１】
なお、テンプルパッド４０Ｌは上述のテンプルパッド４０Ｒと形状が鏡面対称になるだけであるため、詳細な説明を省略する。
【００４２】
≪効果≫
本実施形態に係る眼鏡１００は、左側のテンプル３０Ｌ、モダン３２Ｌ、ポケット３５Ｌ、および右側のテンプル３０Ｒ、モダン３２Ｒ、ポケット３５Ｒがそれぞれ一体部材として形成されており、特に、テンプル３０Ｌ，３０Ｒの外側面３４Ｌ，３４Ｒは、それぞれ、ヒンジ５０Ｌ，５０Ｒに接続される部分からモダン３２Ｌ，３２Ｒの末端に至るまで段差のない滑らかな曲面に形成されている。さらに、ヨロイ２３Ｌ，２３Ｒの上下方向の幅および厚みがそれぞれテンプル３０Ｌ，３０Ｒの上下方向の幅および厚みに合わされている。これによりテンプル３０Ｌ，３０Ｒを広げた状態において、フロント２０から左右のテンプル３０Ｌ，３０Ｒ、さらに左右のモダン３２Ｌ，３２Ｒに至るまでの部分が一体的に続いてすっきりとした印象を与えるデザインとなっている。
【００４３】
また、眼鏡１００を装着する際にモダン３２Ｌ，３２Ｒの末端部分の内側の立体曲面形状部分が側頭部に接触しながら耳の上部から後ろにかけて移動し、眼鏡１００を装着した状態においてモダン３２Ｌ，３２Ｒの末端部分が耳の後ろを左右両側から適度な力で挟み込んで眼鏡１００の後端を頭部にしっかりとホールドすることができる。
【００４４】
また、テンプルパッド４０Ｌ，４０Ｒの根元を、それぞれ、テンプル３０Ｌ，３０Ｒの略直線部分３１Ｌ，３１Ｒの後端付近に固定し、そこからテンプル３０Ｌ，３０Ｒの内側面３３Ｌ，３３Ｒから徐々に逸れるように略直線部分３１Ｌ，３１Ｒに沿ってフロント２０側に延びるようにテンプルパッド４０Ｌ，４０Ｒを配置したことで、眼鏡１００を装着する際にテンプルパッド４０Ｌ，４０Ｒの先端部分４２Ｌ，４２Ｒが側頭部に引っかからずにスムースに眼鏡１００を装着することができる。
【００４５】
また、金属製の芯材を有するテンプルパッド４０Ｌ，４０Ｒが適度な弾力性を呈することで、眼鏡１００を装着した状態においてテンプルパッド４０Ｌ，４０Ｒの先端部分４２Ｌ，４２Ｒが左右からこめかみを適度な力で挟み込んで、鼻パッドなしでもフロント２０がずり落ちないようにしっかりとサポートすることができる。
【００４６】
さらに、眼鏡１００を装着していない状態においてテンプルパッド４０Ｌ，４０Ｒに指で力を加えるなどして、テンプルパッド４０Ｌ，４０Ｒの先端部分４２Ｌ，４２Ｒを眼鏡１００の装着者の頭部形状に合うようにより内側またはより外側に寄せることもできる。
【００４７】
また、テンプルパッド４０Ｌ，４０Ｒの芯材４３Ｌ，４３Ｒをテンプル３０Ｌ，３０Ｒに固定したままパッド本体が外せるため、テンプルパッド４０Ｌ，４０Ｒの交換が容易である。
【００４８】
さらに特筆すべきは、本実施形態に係る眼鏡１００は、側面視でテンプルパッド４０Ｌ，４０Ｒのほとんどがテンプル３０Ｌ，３０Ｒに隠れて見えなくなっていることである。図３は眼鏡１００の左側面図であるが、テンプル３０Ｌからテンプルパッド４０Ｌの先端部分４２Ｌの下部がわずかに覗く程度である。
【００４９】
このように、本実施形態に係る眼鏡１００は、こめかみとの接触部分の面積が比較的大きいテンプルパッド４０Ｌ，４０Ｒを採用しつつ、眼鏡１００の装着時にテンプルパッド４０Ｌ，４０Ｒが目立たないようになっている。これにより鼻パッドなしで安定的に装着可能であるとともに装着時に支持構造を目立たなくするといった所期の目的が達成されている。
【００５０】
≪変形例≫
上記の眼鏡１００は次のように適宜変形してもよい。例えば、左側のテンプル３０Ｌ、モダン３２Ｌ、ポケット３５Ｌ、および右側のテンプル３０Ｒ、モダン３２Ｒ、ポケット３５Ｒをそれぞれ別のパーツで形成して繋ぎ合わせるようにしてもよい。
【００５１】
ポケット３５Ｌ，３５Ｒを設けずに、テンプル３０Ｌ，３０Ｒの内側面３３Ｌ，３３Ｒにテンプルパッド４０Ｌ，４０Ｒを直接固定するようにしてもよい。
【００５２】
フレーム２１Ｌ，２１Ｒをツーポイントフレームやナイロールフレームにしてもよい。
【００５３】
ヒンジ５０Ｌ，５０Ｒをなくしてもよい。
【００５４】
テンプル３０Ｌ，３０Ｒの上下方向の幅を少し広くする、あるいは、テンプルパッド４０Ｌ，４０Ｒの先端部分４２Ｌ，４２Ｒの上下方向の幅を少し狭くする、またはその両方を行って、側面視でテンプルパッド４０Ｌ，４０Ｒの全体がテンプル３０Ｌ，３０Ｒに隠れて見えないようにしてもよい。
【００５５】
≪髪の毛の挟み込み対策≫
上記実施形態に係る眼鏡１００では、テンプルパッド４０Ｌ，４０Ｒがテンプル３０Ｌ，３０Ｒの後端部分からフロント２０側に向けてテンプル３０Ｌ，３０Ｒの内側面３３Ｌ，３３Ｒから徐々に逸れるように配置されているため、眼鏡１００を装着する際に髪の毛がテンプル３０Ｌ，３０Ｒとテンプルパッド４０Ｌ，４０Ｒとの隙間に入り込んでテンプルパッド４０Ｌ，４０Ｒの根元部分４１Ｌ，４１Ｒに引っ掛かって抜けなくなってしまうおそれがある。そこで、テンプルパッド４０Ｌ，４０Ｒを逆向きに配置してもよい。すなわち、テンプルパッド４０Ｌ，４０Ｒの根元をヒンジ５０Ｌ，５０Ｒ付近に固定して、そこから後方に向けて先端部分４２Ｌ，４２Ｒがテンプル３０Ｌ，３０Ｒの内側面３３Ｌ，３３Ｒから徐々に逸れるようにテンプル３０Ｌ，３０Ｒの延在方向に沿ってテンプルパッド４０Ｌ，４０Ｒを取り付けてもよい。
【００５６】
あるいは、テンプルパッド４０Ｌ，４０Ｒの根元部分４１Ｒに凸部を設けてもよい。図８は、変形例に係るテンプルパッド４０Ｒの斜視図であり、図５を裏から見た図である。当該変形例に係るテンプルパッド４０Ｒにおいて、パッド本体４４Ｒの根元部分４１Ｒのテンプル３０Ｒ（図略）に面する側に、根元部分４１Ｒにおけるテンプルパッド４０Ｒとテンプル３０Ｒとの隙間を埋める程度にわずかに突起した凸部４７Ｒが形成されている。一例として、凸部４７Ｒは、パッド本体４４Ｒの根元部分４１Ｒの表面からおよそ１ｍｍ突起して、パッド本体４４Ｒの根元部分４１Ｒの側面（芯材４３Ｒを差し込むための開口部端）からおよそ２ｍｍの幅で先端部分４２Ｒに向けておよそ６ｍｍ延びている。図９は、図８のテンプルパッド４０Ｒをテンプル３０Ｒに取り付けたときの取り付け部分の拡大図である。凸部４７Ｒによってテンプルパッド４０Ｒの根元部分４１Ｒにおけるテンプルパッド４０Ｒとテンプル３０Ｒとの隙間が埋められることにより、眼鏡１００を装着する際に髪の毛がテンプル３０Ｒとテンプルパッド４０Ｒとの隙間に入り込んでもテンプルパッド４０Ｒの根元部分４１Ｒに引っ掛からずにすっと抜けることができる。
【００５７】
凸部４７Ｒの形状は図５に示したものに限られず、断面形状が三角形やかまぼこ型であってもよい。また、凸部４７Ｒは、テンプルパッド４０Ｒの根元部分４１Ｒの側面から延在していなくてもよく、根元部分４１Ｒの側面から６ｍｍ程度の位置において突起するように設けてもよい。あるいは、テンプルパッド４０Ｒに凸部４７Ｒを設けずに、テンプル３０Ｒの内側面３３Ｒ（図７参照）に凸部を設けるようにしてもよい。なお、テンプルパッド４０Ｌはテンプルパッド４０Ｒと形状が鏡面対称になるだけであるため、テンプルパッド４０Ｌの変形例についての詳細な説明を省略する。
【００５８】
≪フロントのずり落ち対策≫
眼鏡１００には鼻パッドがないため、装着時にモダン３２Ｌ，３２Ｒが装着者の後頭部（耳の後ろ）をしっかり保持できていないとテンプルパッド４０Ｌ，４０Ｒの先端部分４２Ｌ，４２Ｒを支点にしてフロント２０がずり落ちてしまうおそれがある。そこで、後頭部をよりしっかり保持できるようにモダン３２Ｌ，３２Ｒの厚みをより厚くしてもよい。図１０は、通常のモダンと変形例に係るモダンとの比較図である。通常のモダンと同様に変形例に係るモダンも先端付近が肉厚に形成されて内側に膨らんでいるが、その最厚部の厚みは通常のモダンのおよそ３倍の７ｍｍ程度にされている。このようにモダンの先端付近の厚みを厚くすることで眼鏡１００を装着したときにモダン３２Ｌ，３２Ｒが装着者の後頭部をしっかり保持することができ、フロント２０のずり落ちを防いで眼鏡１００の装着感を向上させることができる。
【００５９】
以上のように、本発明における技術の例示として、実施の形態を説明した。そのために、添付図面および詳細な説明を提供した。
【００６０】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００６１】
また、上述の実施の形態は、本発明における技術を例示するためのものであるから、特許請求の範囲またはその均等の範囲において種々の変更、置き換え、付加、省略などを行うことができる。
【符号の説明】
【００６２】
１００…眼鏡、３０Ｌ，３０Ｒ…テンプル、３２Ｌ，３２Ｒ…モダン、３５Ｌ，３５Ｒ…ポケット、４０Ｌ，４０Ｒ…テンプルパッド、４１Ｌ，４１Ｒ…根元部分、４２Ｌ，４２Ｒ…先端部分、４３Ｒ…芯材、４４Ｒ…パッド本体、４７Ｒ…凸部
【図１】
2020095243.tif 000003
【図２】
2020095243.tif 000004
【図３】
2020095243.tif 000005
【図４】
2020095243.tif 000006
【図５】
2020095243.tif 000007
【図６】
2020095243.tif 000008
【図７】
2020095243.tif 000009
【図８】
2020095243.tif 000010
【図９】
2020095243.tif 000011
【図１０】
2020095243.tif 000012